(57)【要約】【課題】  真壁構造の入隅部で僅かに露出する柱に対し、強固に固定することが可能な手摺ブラケットを提供する。【解決手段】  手摺ブラケット１０は、真壁構造２００の入隅部２００ａで露出する本柱２０１の頂角２０２に対し固定されるものであって、台座部１０１の背面には頂角２０２に対応する谷部１１０、及び、頂角２０２を構成する本柱２０１の二平面と当接する当接面１０２ａ、１０２ｂを有しており、手摺ブラケット１０を本柱１０に固定する固定ねじ１０５ａ、１０５ｂは、谷部１１０を貫通するねじ穴１０４ａ、１０４ｂに挿通される。【選択図】  図３
2009024431.tif 000002
【特許請求の範囲】
【請求項１】
真壁の入隅部に露出する柱に対し手摺バーを固定するための手摺ブラケットであって、
その背面で前記柱に当接して固定される台座部と、
前記台座部から延出する腕部と、
前記腕部の端部に設けられ、前記手摺バーを保持する手摺バー保持部と、
前記台座部に形成されたねじ穴に挿通され、前記台座部を前記柱に対し固定するための固定ねじと、を備え、
前記台座部の背面には、前記柱の頂角に対応する谷部と、前記柱の頂角を構成する二平面のそれぞれに当接する当接部とが設けられ、前記ねじ穴が前記谷部を貫通するよう構成されていることを特徴とする手摺ブラケット。
【請求項２】
前記ねじ穴は、前記腕部を挟んで前記台座部の上下に少なくとも一つずつ設けられ、前記上方の固定ねじの軸線が平面視で前記下方の固定ねじの軸線に対し傾斜するよう構成されていることを特長とする請求項１記載の手摺ブラケット。
【請求項３】
前記下方の固定ねじは、その軸線が平面視で前記柱の頂角を略二等分するようねじ込まれていることを特徴とする請求項２記載の手摺ブラケット。
【発明の詳細な説明】
【技術分野】
【０００１】
本発明は、建築躯体壁面に対して手摺バーを固定する為の手摺ブラケットであって、特に真壁の入隅部で僅かに露出している柱へ固定される手摺ブラケットに関する。 
【背景技術】
【０００２】
建築躯体の出隅部に手摺を固定するための部材として、特許文献１に開示された手摺ブラケットが知られている。特許文献１の図２０乃至図２７に開示されたこの手摺ブラケット２１は、手摺Ｈを直角に継ぎ合わせる手摺ソケット部材３が壁固定アーム部材２２の一端に設けられる一方、壁固定アーム部材２２の他端には円板を直角に折曲した形状の固定座２４が設けられており、出隅部を構成する二つの壁面Ｗ３、Ｗ４の夫々に対しこの固定座２４を固定ねじ１１で固定するものである。
【０００３】
また、建築躯体の入隅部に手摺を固定する部材として、壁材背面側の柱に対し固定されて手摺を保持するコーナー取付部材が特許文献２により知られている。特許文献２の図５及び図６に開示されたこのコーナー取付部材においては、まず入隅部を構成する壁材９１、９１を貫通して裏側本体３０を壁材背面側の柱９２に固定し、次に裏側本体３０のうち壁材９１、９１の表側に露出している部分に対して表側本体２０を固定する構造となっている。表側本体２０の両側部２２、２２が壁面押さえ部を構成しており、この両側部２２、２２が壁材９１、９１と当接することでコーナー取付部材の左右の揺れを防止するよう構成されている。
【０００４】
【特許文献１】特開２００４−３２４１６３号公報
【特許文献２】特開２０００−８５７４号公報
【発明の開示】
【発明が解決しようとする課題】
【０００５】
しかしながら上記のような部材は、昔ながらの住宅で多く見られる真壁構造の入隅部への設置が困難であった。すなわち、真壁構造の入隅部では、入隅部を構成する二つの壁面の間から柱の頂角が露出しており、入隅部でありながら出隅構造となっている。この柱の頂角は僅かに露出するものであって、特許文献１に開示されたの手摺ブラケットのように、直角に折曲した形状の固定座を当接させ、固定座にねじを挿通させて固定することができるほど、柱の平面が露出していない場合が殆どである。
【０００６】
また、一般的に真壁構造に用いられている壁材は、土壁などの機械的強度が低いものである場合が多い。したがって、特許文献２に開示されたコーナー取付部材のように、両側部で壁面と当接させることでコーナー取付部材の左右の揺れを防止しようとすると、使用者から手摺バーに加えられる力がコーナー取付部材にも伝達され、両側部が壁面に繰り返し圧接することで、当接位置の壁面が損傷するおそれがある。さらには、損傷した壁面と壁面押さえ部との間に隙間が生じ、コーナー取付部材の固定がしだいに不安定となってしまうおそれもある。
【０００７】
本発明は、上記課題を解決するためになされたもので、真壁構造の入隅部にわずかに露出する柱に対し強固に固定することが可能な手摺ブラケットを提供するものである。
【課題を解決するための手段】
【０００８】
上記目的を達成するための本発明は、真壁の入隅部に露出する柱に対し手摺バーを固定するための手摺ブラケットであって、その背面で柱に当接して固定される台座部と、台座部から延出する腕部と、腕部の端部に設けられ、手摺バーを保持する手摺バー保持部と、台座部に形成されたねじ穴に挿通され、台座部を柱に対し固定するための固定ねじと、を備え、台座部の背面には、柱の頂角に対応する谷部と、柱の頂角を構成する二平面のそれぞれに当接する当接部とが設けられ、ねじ穴が谷部を貫通するよう構成されていることを特徴とする手摺ブラケットである。
【０００９】
本構成によれば、台座部背面の谷部を貫通するねじ穴に挿通された固定ねじによって柱に対し固定されているため、手摺ブラケットの左右方向に作用する外力は、谷部が対応している柱の頂角を中心軸とする回転モーメントを発生させる。このとき、台座部はその背面に設けられた当接部で柱の平面と当接して反力を受けるため、壁面と当接することなくこの回転モーメントに抗することができる。すなわち、本発明の手摺ブラケットによれば、回転モーメントの中心軸上に位置するため固定ねじには引き抜きの力が殆ど作用しないほか、手摺ブラケットと壁面とを当接させる必要が無くなり、壁面の損傷及びそれに基づく固定の不安定を招くことが無い。したがって、真壁構造の入隅部に僅かに露出した柱に対しても強固に固定することができるという、実用上優れた効果を奏することができる。
【００１０】
また、ねじ穴は、腕部を挟んで台座部の上下に少なくとも一つずつ設けられ、上方の固定ねじの軸線が平面視で下方の固定ねじの軸線に対し傾斜するよう構成されていることが好ましい。
【００１１】
入隅部における柱の露出は僅かであり、台座部の幅方向に複数のねじ穴を設け、柱に対し台座部を複数の固定ねじで固定することは困難な場合が多い。そこで本構成のように、腕部を挟んで台座部の上下にねじ穴を設けると、使用者より手摺バーに加えられて手摺ブラケットに伝達される外力のうち、下方に作用する力によって、上方の固定ねじには大きな引き抜きの力が発生する。そこで本発明では、さらに、上方の固定ねじの軸線が平面視で下方の固定ねじの軸線に対し傾斜するようねじ穴を構成することで、この引き抜きの力に対する抵抗力を増し、柱への固定性を向上させることができる。
【００１２】
また、下方の固定ねじは、その軸線が平面視で柱の頂角を略二等分するようねじ込まれていることが好ましい。
【００１３】
本構成によれば、手摺ブラケットを柱へ固定する際、まず腕部下方の固定ねじを柱にねじ込むことで、台座部背面の谷部を柱の頂角と対応する位置へ容易に配置することができる。すなわち、下方の固定ねじはその軸線が柱の頂角を略二等分ようねじ込まれるため、ねじ込むにつれ台座部背面の当接部が柱の頂角を構成する二平面と均等に当接し、台座部のずれが防止される。続く上方の固定ねじのねじ込みにおいては、その軸線が下方の固定ねじに対して傾斜しているため、台座部背面の谷部を柱の頂角からずらそうとする力が作用する。しかし、既に下方の固定ねじのねじ込みにおいて台座部背面の当接部が柱の頂角を構成する二平面と均等に当接しているため、ずれが生じることはない。すなわち本構成によれば、上述した回転モーメントを確実に柱の頂角を中心軸として発生させることができ、より柱への固定性を増すことができる。
【発明の効果】
【００１４】
本発明の手摺ブラケットによれば、真壁の入隅部に僅かに露出する柱に対して強固に固定することが可能となる。
【発明を実施するための最良の形態】
【００１５】
以下、図面に基づいて本発明の実施の形態について説明する。図１は本発明にかかる手摺ブラケットの使用状態を示す斜視図である。
【００１６】
本実施形態の手摺ブラケット１０は、真壁構造２００の入隅部２００ａにおいて手摺バー３００ａ、３００ｂを保持し、連結して設置することができるものである。入隅部２００ａでは、真壁壁面２０３ａ、２０３ｂから本柱２０１の頂角２０２がわずかに露出しており、手摺ブラケット１０はこの頂角２０２に連結、固定されている。
【００１７】
図２は本発明にかかる手摺ブラケット１０の分解斜視図である。手摺ブラケット１０は、頂角２０２に固定される台座部１０１を有し、さらに、台座部１０１から正面に延出した腕部１０７の端部１０７ａには手摺バー３００ａ、３００ｂの端部を保持する手摺バー保持部材１００が設けられている。手摺バー保持部材１００には、円筒状の手摺バー保持部１０８ａ、１０８ｂが形成されており、手摺バー３００ａ、３００ｂの端部をこの手摺バー保持部１０８ａ、１０８ｂに嵌合することで保持している。
【００１８】
台座部１０１の正面側には、腕部１０７の上方と下方にねじ固定面１０３ａ、１０３ｂが平面状に形成されており、それぞれにねじ穴１０４ａ、１０４ｂが穿設されている。このねじ穴１０４ａ、１０４ｂに上部固定ねじ１０５ａ、固定ねじ１０５ｂが挿通され、台座部１０１を頂角２０２に固定している。さらに、ねじ固定面１０３ａ、１０３ｂにはカバー１０６ａ、１０６ｂが装着され、挿通された上部固定ねじ１０５ａ、下部固定ねじ１０５ｂを隠蔽し、意匠性を向上させている。
【００１９】
図３は使用状態における手摺ブラケット１０の平面図、図４は手摺ブラケット１０の底面図である。図３については本柱２０１、真壁壁面２０３ａ、２０３ｂのみ断面視している。
【００２０】
本柱２０１の頂角２０２は、真壁壁面２０３ａ、２０３ｂからわずかに露出する本柱平面２０５ａ、２０５ｂから構成されている。台座部１０１の背面には、この本柱平面２０５ａ、２０５ｂと当接する当接面１０２ａ、１０２ｂが形成されており、これらがなす角θを頂角２０２と対応する略９０°として、谷部１１０が形成されている。
【００２１】
本柱平面２０５ａ、２０５ｂが真壁壁面２０３ａ、２０３ｂから露出している寸法Ａは、真壁壁面２０３ａ、２０３ｂの仕上がりにより異なるが、１０ｍｍ以下と小さくなる場合が多い。また、当接面１０２ａ、１０２ｂの当接幅Ｂと寸法Ａとの関係は、Ａ≧Ｂとする必要がある。したがって、真壁壁面２０３と固定部１０１の干渉を避けるためには、固定部１０１の固定部幅Ｃは、２Ａｃｏｓ（θ／２）≧Ｃの関係が成立し、固定部幅Ｃには制限が生じる。実際には、固定部幅Ｃは１４ｍｍ程度が限界となる。
【００２２】
ねじ穴１０４ａ、１０４ｂは、ねじ固定面１０３ａ、１０３ｂの正面より、台座部１０１背面の谷部１１０を貫通するよう構成されている。さらに、台座部１０１の谷部１１０は、本柱２０１の頂角２０２とほぼ一致する位置に設置されるため、ねじ穴１０４ａ、１０４ｂに挿通される固定ねじ１０５ａ、１０５ｂは、頂角２０２から本柱２０１の対角方向Ｄに向かってねじ込まれる。
【００２３】
ねじ穴１０４ｂは、そこに挿通される固定ねじ１０５ｂの軸線１０９ｂが面１０３ｂにほぼ垂直であって、頂角２０２をほぼ２等分する角度でねじ込まれるよう構成されている。一方、ねじ穴１０４ａに挿通される固定ねじ１０５ａの軸線１０９ａは、固定ねじ１０５ｂの軸線１０９ｂに対し角度αだけ傾斜させてねじ込まれている。
【００２４】
以上のような構成において、使用者が手摺バー３００ａを使用したことで、手摺バー保持部材１００に、手摺バー３００ａの軸線方向の力Ｆｈが作用している場合を考える。手摺ブラケット１０は頂角２０２から本柱２０１にねじ込まれた固定ねじ１０５ａ、１０５ｂにて固定されているため、このとき手摺ブラケット１０には頂角２０２を中心軸とする回転モーメントＭｈが作用していることになる。この回転モーメントＭｈにより、台座部１０１の当接面１０２ｂが本柱平面２０５ｂに圧接され、本柱平面２０５ｂより反力Ｎｈを受ける。
【００２５】
すなわち、この手摺ブラケット１０では、手摺バー３００ａより伝達される水平方向の外力Ｆｈを本柱２０１の頂角２０２回りの回転モーメントＭｈとして受ける構造となっている。したがって、回転モーメントの中心軸上に位置する固定ねじ１０５ａ、１０５ｂには引き抜きの力は殆ど作用しない。また本柱２０１の本柱平面２０５ｂより反力Ｎｈを受けることで、頂角２０２回りに回転モーメントＭｈとは反対向きの回転モーメントを発生させて抗している。これにより、真壁壁面２０３ａ、２０３ｂに当接することなく外力に抗し、手摺ブラケット１０を本柱２０１に対し強固に固定することが可能となっている。
【００２６】
また、本実施形態では台座部１０１の背面全体を本柱平面２０５ａ、２０５ｂに当接させて反力Ｎｈを受けているが、背面の一部で当接させる場合は、少なくとも台座部１０１背面の端部が本柱平面２０５ａ、２０５ｂに当接するよう構成することが好ましい。台座部１０１の背面のうち、頂角２０２より最も離れた位置である端部で本柱平面２０５ａ、２０５ｂと当接することで、回転モーメントＭｈに抗する回転モーメントを発生させやすくするものである。
【００２７】
次に図５を参照して、使用者が手摺バー保持部材１００に上方より体重を掛けるなどして、下方への外力Ｆｖが作用している場合を考える。図５は手摺ブラケット１０の側面図であり、本柱２０１のみ断面視している。
【００２８】
手摺バー保持部材１００に下方への外力Ｆｖが作用することにより、腕部１０７下方の固定ねじ１０５ｂ近傍で台座部１０１の谷部１００が本柱２０１の頂角に圧接され、そこを中心とした回転モーメントＭｖが発生する。これにより、腕部１０７上方の固定ねじ１０５ａ近傍では、台座部１０１の谷部１１０が本柱２０１の頂角２０２より離れようとし、固定ねじ１０５ａには本柱２０１から引き抜こうとする力Ｐｖが発生する。
【００２９】
しかし上述のように、腕部１０７上方の固定ねじ１０５ａの軸線１０９ａは、腕部１０７下方の固定ねじ１０５ｂの軸線１０９ｂに対し角度αだけ傾斜させてねじ込まれている。すなわち、この引き抜きの力Ｐｖが作用する方向に対し傾斜することで大きな抵抗力を発生させる構造となっているため、下方への外力Ｆｖが作用しても手摺ブラケット１０を本柱２０１に対し強固に固定することが可能となっている。
【図面の簡単な説明】
【００３０】
【図１】本発明にかかる手摺ブラケットの使用状態を示す斜視図である。
【図２】本発明にかかる手摺ブラケットの分解斜視図である。
【図３】本発明にかかる手摺ブラケットの使用状態における平面図である。
【図４】本発明にかかる手摺ブラケットの底面図である。
【図５】本発明にかかる手摺ブラケットの側面図である。
【符号の説明】
【００３１】
１０…手摺ブラケット
１００…手摺バー保持部材
１０１…台座部
１０２ａ、１０２ｂ…当接面
１０３ａ、１０３ｂ…ねじ固定面
１０４ａ、１０４ｂ…ねじ穴
１０５ａ、１０５ｂ…固定ねじ
１０６ａ、１０６ｂ…カバー
１０７…腕部
１０７ａ…腕部の端部
１０８ａ、１０８ｂ…手摺バー保持部
１０９ａ…上方の固定ねじの軸線
１０９ｂ…下方の固定ねじの軸線
１１０…谷部
２００…真壁構造
２０１…本柱
２０２…頂角
２０３ａ、２０３ｂ…真壁壁面
２０５ａ、２０５ｂ…本柱平面
３００ａ、３００ｂ…手摺バー
Ａ…本柱の真壁壁面からの露出寸法
Ｂ…当接面の幅
Ｃ…台座部の幅
Ｄ…固定ねじの軸線方向
θ…当接面がなす角度
α…上方及び下方のねじの軸線がなす角度
【図１】
2009024431.tif 000003
【図２】
2009024431.tif 000004
【図３】
2009024431.tif 000005
【図４】
2009024431.tif 000006
【図５】
2009024431.tif 000007